(57)【要約】【課題】免震建築物のせり出し部を必要最小限の仮設工事で施工できてコストも抑えられるようにする。【解決手段】基礎２上に免震装置４０を設置して構築される免震建築物１０のせり出し部２０の施工方法であって、基礎２上に、せり出し部２０の床梁２２を支持する支保工３０を仮設するとともに、その支保工３０に地震動を吸収可能な滑り支承５０を設置した状態で、床梁２２から上のせり出し部２０を施工する。具体的には、基礎２上に設置した滑り支承５０の上に支保工３０を仮設する。また、床梁２２の上にコンクリートを打設してせり出し部２０を施工する。そして、せり出し部２０の少なくとも一階層を施工した後、支保工３０及び滑り支承５０を撤去する。【選択図】図１
2015175172.tif 000002
【特許請求の範囲】
【請求項１】
基礎上に免震装置を設置して構築される免震建築物のせり出し部の施工方法であって、
前記基礎上に、前記せり出し部の床梁を支持する支保工を仮設するとともに、その支保工に地震動を吸収可能な滑り支承を設置した状態で、前記床梁から上の前記せり出し部を施工することを特徴とする免震建築物のせり出し部の施工方法。
【請求項２】
前記基礎上に設置した前記滑り支承の上に前記支保工を仮設することを特徴とする請求項１に記載の免震建築物のせり出し部の施工方法。
【請求項３】
前記床梁の上にコンクリートを打設したり鉄骨を建て込んで前記せり出し部を施工することを特徴とする請求項１または２に記載の免震建築物のせり出し部の施工方法。
【請求項４】
前記せり出し部の少なくとも一階層を施工した後、前記支保工及び滑り支承を撤去することを特徴とする請求項１から３のいずれか一項に記載の免震建築物のせり出し部の施工方法。
【発明の詳細な説明】
【技術分野】
【０００１】
本発明は、基礎上に免震装置を設置して構築される免震建築物のせり出し部の施工方法に関する。
【背景技術】
【０００２】
大地震対策のため、基礎上に免震装置を設置して構築される免震建築物が広まっており、その免震に用いられる装置や地震動を吸収可能な滑り支承が種々存在する（例えば特許文献１参照）。
【先行技術文献】
【特許文献】
【０００３】
【特許文献１】特開２０１１−２１４５８３号公報
【発明の概要】
【発明が解決しようとする課題】
【０００４】
免震建築物の構築において、例えば２階以上が片持ちのせり出し部となる場合、そのせり出し部を支えるための仮設構台と免震装置を用いると、その仮設工事が大掛かりとなってコストもアップしてしまう。
【０００５】
本発明の課題は、免震建築物のせり出し部を必要最小限の仮設工事で施工できてコストも抑えられるようにすることである。
【課題を解決するための手段】
【０００６】
以上の課題を解決するため、請求項１に記載の発明は、
基礎上に免震装置を設置して構築される免震建築物のせり出し部の施工方法であって、
前記基礎上に、前記せり出し部の床梁を支持する支保工を仮設するとともに、その支保工に地震動を吸収可能な滑り支承を設置した状態で、前記床梁から上の前記せり出し部を施工することを特徴とする。
【０００７】
請求項２に記載の発明は、
請求項１に記載の免震建築物のせり出し部の施工方法であって、
前記基礎上に設置した前記滑り支承の上に前記支保工を仮設することを特徴とする。
【０００８】
請求項３に記載の発明は、
請求項１または２に記載の免震建築物のせり出し部の施工方法であって、
前記床梁の上にコンクリートを打設したり鉄骨を建て込んで前記せり出し部を施工することを特徴とする。
【０００９】
請求項４に記載の発明は、
請求項１から３のいずれか一項に記載の免震建築物のせり出し部の施工方法であって、
前記せり出し部の少なくとも一階層を施工した後、前記支保工及び滑り支承を撤去することを特徴とする。
【発明の効果】
【００１０】
本発明によれば、免震建築物のせり出し部を必要最小限の仮設工事で施工できてコストも抑えることができる。
【図面の簡単な説明】
【００１１】
【図１】本発明を適用した免震建築物のせり出し部の施工の一実施形態の構成を示すもので、せり出し部の支保工設置状態で１階立ち上がりコンクリート打設時を示した側面図である。
【図２】同じく、せり出し部の支保工設置状態で２階立ち上がりコンクリート打設時であって、地震発生時を示した図である。
【図３】支保工撤去後で３階立ち上がりコンクリート打設時を示した図である。
【発明を実施するための形態】
【００１２】
以下、図を参照して本発明を実施するための形態を詳細に説明する。
（実施形態）
図１は本発明を適用した免震建築物１０のせり出し部２０の施工の一実施形態の構成としてせり出し部２０の支保工３０の設置状態で１階立ち上がりコンクリートの打設時を示すもので、１は杭、２は基礎、３は床下の支保工、４は各階の型枠、５は各階の支保工、１１は１階床梁、４０は免震装置、５０は滑り支承である。
【００１３】
図示のように、杭１の上に構築された基礎２の上には、支柱による支保工３及び免震装置４０を設置して免震建築物１０の１階床梁１１が支持されて、その１階床梁１１の上には、１階立ち上がり部及び２階床部の型枠４が支柱による支保工５で支持してセットされている。
ここで、免震建築物１０は、２階からのせり出し部２０を備え、そのせり出し部２０の型枠４を支持する支保工３０及び滑り支承５０が設置されている。
【００１４】
せり出し部２０の支保工３０は、図示例では、基礎２の上でせり出し部２０の先端位置に設置する下部主柱３１と、１階床梁１１の端部上に一端部を載せる梁材３２と、その梁材３２の先端部上に設置してせり出し部２０の先端位置の型枠４を支持する上部主柱３３と、梁材３２の上に設置して型枠４を支持する支柱３４とから構成されている。
【００１５】
すなわち、下部主柱３１の直上に上部主柱３３が位置している。
そして、基礎４の上面と下部主柱３１の下端との間に滑り支承５０を挟み込む。
さらに、下部主柱３１の上端と梁材３２と上部主柱３３の下端とを剛接合する。
また、１階床梁１１の端部上に梁材３２の一端部をボルト固定し、上部主柱３１の上端に型枠４をボルト固定する。
【００１６】
以上において、免震装置４０としては、例えば硬質ゴム製のものを用いる。
また、滑り支承５０としては、例えば４フッ化エチレン樹脂（ＰＴＦＥ：ポリテトラフルオロエチレン）による滑り板とステンレス板を重ねた構成のものを用いる。そして、その滑り板とステンレス板の一方を基礎２の上面に固定して他方を支保工３０の下部主柱３１の下端面に固定する。
【００１７】
なお、支保工３、支保工３０の設置に当たっては、図示しないジャッキを用いるが、そのジャッキの位置は基礎２上または支保工３、支保工３０の中間部や上端など何処でもよい。
【００１８】
図２はせり出し部２０の支保工３０の設置状態で２階立ち上がりコンクリートの打設時であって、地震発生時を示したもので、１２は２階床梁、２２はせり出し部２０の２階床梁である。
【００１９】
すなわち、１階立ち上がりコンクリートを打設して養生後、１階床梁１１の支保工３と、１階立ち上がり部の型枠４を撤去して、図示のように、２階床梁１２、及びせり出し部２０の２階床梁２２の上に、２階立ち上がり部及び３階床部の型枠４が支柱による支保工５で支持してセットされる。
【００２０】
図示例においては、地震発生時につき、免震建築物１０の下の免震装置４０が水平方向に弾性変形すると同時に、せり出し部２０の支保工３０が滑り支承５０の滑りにより免震建築物１０と一体に同期して水平往復移動する。
従って、免震建築物１０の構築中での地震発生時において、有効な免震機能を具備することができる。
【００２１】
図３はせり出し部２０の支保工３０の撤去後で３階立ち上がりコンクリートの打設時を示したもので、１３は３階床梁、２３はせり出し部２０の３階床梁である。
【００２２】
すなわち、２階立ち上がりコンクリートを打設して養生後、２階床梁１１の支保工５と、２階立ち上がり部の型枠４と、せり出し部２０の支保工３０及び滑り支承５０を撤去して、図示のように、３階床梁１３、及びせり出し部２０の３階床梁２３の上に、３階立ち上がり部及び４階床部の型枠４が支柱による支保工５で支持してセットされる。
【００２３】
そして、３階立ち上がりコンクリートを打設する。  
なお、図示しないが、４階以上も同様にして構築される。
【００２４】
以上、実施形態の免震建築物１０のせり出し部２０の施工によれば、基礎２上に設置した滑り支承５０の上に、せり出し部２０の床梁２２を支持する支保工３０を仮設した状態で、床梁２２の上に２階立ち上がりコンクリートを打設してせり出し部２０を施工することにより、免震建築物１０のせり出し部２０を必要最小限の仮設工事で施工できてコストも抑えることができる。
【００２５】
（変形例）
以上の実施形態の他、建築物、免震装置、支保工、及び滑り支承の構成、さらには具体的な細部構造等について適宜に変更可能であることは勿論である。
例えば、ＳＲＣ（鉄骨鉄筋コンクリート）造やＣＦＴ（コンクリート充填鋼管）造やＳ（鉄骨）造の建築物であってもよく、また、実施形態の２階以上のせり出し部に限らず、１階のせり出し部であってもよい。
【符号の説明】
【００２６】
１  杭
２  基礎
３  床下の支保工
４  各階の型枠
５  各階の支保工
１０  免震建築物
１１  １階床梁
１２  ２階床梁
１３  ３階床梁
２０  せり出し部
２２  ２階床梁
２３  ３階床梁
３０  せり出し部の支保工
３１  下部主柱
３２  梁材
３３  上部主柱
３４  支柱
４０  免震装置
５０  滑り支承
【図１】
2015175172.tif 000003
【図２】
2015175172.tif 000004
【図３】
2015175172.tif 000005